(57)【要約】【課題】  履き口を足の太さに合うように調節でき、足のむくみや締め付け感をなくし、然もずれにくい靴下を提供すること。【解決手段】  靴下主体の少なくとも足首から上部をパイル状布地で形成し、履き口から足首近傍まで切り口を設け、切り口の内面側にダブルとなる延長部を形成する。延長部と重なる外面地の裏面にフック片を縫着し、パイル状布地にフック片を係合する。【選択図】図１
0003128484.tif 000002
【実用新案登録請求の範囲】
【請求項１】
靴下主体の少なくとも足首から上部をパイル状布地で形成し、履き口から足首近傍まで切り口を設け、切り口の内面側にダブルとなる延長部を形成し、延長部と重なる外面地の裏面に面ファスナーの片側であるフック片を縫着し、前記パイル状布地にフック片が係合することを特徴とする靴下。
【請求項２】
靴下主体の表面全体をパイル状布地とすることを特徴とする請求項１記載の靴下。
【請求項３】
靴下主体の履き口箇所から下方にかけて複数箇所に縦方向の筋目材を設け、履き口箇所を補強してなる請求項１又は２記載の靴下。
【請求項４】
筋目材が、合成紙・合成繊維等の合成樹脂系の素材であることを特徴とする請求項３記載の靴下。
【考案の詳細な説明】
【技術分野】
【０００１】  本考案は、足太の者でも履き口の幅調節ができて履き心地良好とすることのできる靴下に関する。
【背景技術】
【０００２】  靴下上部の締め付けによって血行の阻害や足に締め付け感を生ずるといった問題、或いはむくみを防止することを目的とした靴下は公知である（例えば特許文献１参照）。
【特許文献１】特開２００２−８８５１３号公報
【考案の開示】
【考案が解決しようとする課題】
【０００３】  特許文献１に示された靴下は、内股側より切れ目を入れ、上部まで開き、余裕布地を付け、最上部の面ファスナー雄雌で足の状態に応じて緩めたり閉じたり、自由に調節する構成を主旨としている。切れ目を入れたために靴下上部が足の太さに応じて調節でき、留める場合は雄雌の面ファスナーを合致することで簡単にできることを特徴としているが、この靴下によると、靴下上部の内側と外側の両方に雄雌面ファスナーを取り付けるという手数を要している。また内側の面ファスナーと外側の面ファスナーがぴったりと重ならない場合、内側の面ファスナーの一部が露出して見苦しくなるという不具合と、逆に足が細くて履き口を狭めたいときには外側の面ファスナーが内側の面ファスナーの範囲外となってその部分がはみ出し、内側に密着しないという問題が生ずる。なかんずく元々足が極端に太かったり、病気で足が異常に膨れたりして象の足のようになった者にはこの程度の調節の仕方では十分とはいえず、また使用につれて履き口部分にたるみが生じて着用中に靴下がずれ落ちるという問題の解決にはなり得ないという懸念もある。【０００４】  本考案はこのような従来の問題点に鑑みてなされたもので、靴下の内外両側に面ファスナーを使うという手法をとらず、外側となる箇所と内側とが一致しないで内側の一部が露出しても違和感を生ずることがなく体裁良く取り付けができ、特に足が極端に太くても適合し、然も靴下上部のたるみの防止策をも施した靴下を提供することを目的としている。
【課題を解決するための手段】
【０００５】  そのために本考案は、靴下主体の少なくとも足首から上部をパイル状布地で形成し、履き口から足首近傍まで切り口を設け、切り口の内面側にダブルとなる延長部を形成し、延長部と重なる外面地の裏面に面ファスナーの片側であるフック片を縫着し、前記パイル状布地にフック片が係合することを特徴としている。【０００６】  前記靴下主体の表面全体をパイル状布地とすることを特徴とする。【０００７】  また上記靴下は、靴下主体の履き口箇所から下方にかけて複数箇所に縦方向の筋目材を設け、以て履き口箇所を補強することを特徴とする。【０００８】  前記筋目材は、合成紙・合成繊維等の合成樹脂系の柔軟な素材であることを特徴とする。
【考案の効果】
【０００９】  本案靴下は、履き口の下部に切り口を設けているが、この箇所には内面側に延長部が形成されて外面地と重なる構成となっている。そして延長部もパイル状布地であるから、外面地がこのパイル状布地に重なると、外面地の裏面にあるフック片がパイルと係合し、従って外面地が延長部と密着して端部の切り口が閉じられる。靴下を緩めに履くときは、切り口箇所を開いた状態とするので延長部が露出するが、延長部もパイル状布地のため外面地と全く異なることがなく、見た目には殆ど区別がつかず人目につきにくいため体裁が保たれる。特に切り口は履き口から足首近傍まで設けているため十分に開口し、象の足のように太い足であっても適合させることができて足の締め付け感、むくみ・鬱血などの未然防止が図られる。【００１０】  足が細くて履き口がゆるく靴下を通常よりも締め付ける方向に調節したい場合は、外面地を延長部と反対方向に絞って履き口を小さくすればよく、この場合もフック片がパイル状布地と係合して閉じた状態を保持する。すなわち従来品では面ファスナーの雄雌の合致によるので片方が存在しない箇所があるとその部分は布地同士がぴったりと閉じられないが、本考案ではどの箇所で閉じても布地同士は密着し調節できる。【００１１】  また本考案は、靴下主体の履き口箇所から下方にかけて複数箇所に縦方向の筋目材を設けたことでその部分が補強され、高さ保持機能が発揮されるので頻繁に着脱を繰り返して履き口箇所に負荷がかかっても、その部分がずれ落ちる心配がなく履き心地が悪くなったり体裁が損なわれるという問題も生じない。
【考案を実施するための最良の形態】
【００１２】  図面に基づき本考案を説明すると、図１において１は靴下主体であり、２は主体表面の足首から上部に形成したパイル状布地であり、３は履き口、４は履き口３から内股側の下部に向かって斜めに形成した切り口である。切り口４は履き口３から足首まで形成し、その内面側に延長部５が形成されている。つまり切り口４は単に主体１に切れ目を入れただけでなく、延長部５が内面に存在することによってその部分がダブルに形成される。【００１３】  切り口４は拡開することができ、切り口４の下端を支点として履き口３に向かって、より広く開口される。切り口４は図では直線状としているが、鋸歯状・波形状などでも差し支えない。【００１４】  ７は前記延長部５と重なる外面地６の裏面に縫着したフック片である。このフック片７は面ファスナーの雄に相当するもので、本来は雌であるパイル片と一対であるが、本考案ではパイル状布地２が存在するため特に雌を設ける必要がなく、フック片７は延長部５のパイル状布地２と係合する。【００１５】  いま靴下を履いて締め付け感をおぼえ、履き口３をゆるめたいときは、図２（ａ）のように切り口４上端から外面地６を手前側に引いて裏面のフック片７を延長部５のパイル状布地２から剥がす。すると切り口４は大きく開くので所望する位置まで外面地６を広げることができ矢指のように履き口３が外方に拡開する。切り口４が開くとその分延長部５が露出し外見されるが、延長部５が従来のように面ファスナーの一方ではなく、外面地６と同じ布地であるから何ら違相感がない。そして外面地６をそのまま延長部５に押しつければ、外面地６裏面のフック片７が延長部５のパイル状布地２と係合して固定され、履き口３は所望の広さとすることができ（図２（ｂ）参照）、締め付け感を覚えることも、足のむくみを生ずることもなく快適な履き心地を実感できる。【００１６】  上記と逆に足が細く靴下がだぶつき気味で履き口３を締めたい場合は、切り口４を塞ぐようにして外面地６を絞り、履き口３が足にフィットする位置で外面地裏面のフック片７をパイル状布地（延長部５でない箇所）に密着させる。こうすることによって履き口３はいつでも細い足に合ったサイズとなり、靴下がだぶつく心配がない。すなわちフック片７は、相手がパイル状であればどの位置であれ密に係合して隙間なく重ね合うので履き心地が悪くなることがなく体裁も保たれる。【００１７】  前記のように足首から上を部分的にパイル状布地とすれば十分であるが、靴下主体１の全体をパイル状布地で形成すれば、外面地６裏面のフック片７はどの箇所にも密着できること勿論であり、寒い時期などは厚手でパイル状布地の靴下を履く場合も多いため都合がよい。【００１８】  靴下は通常左右が同じ形態で左右いずれの足に履いても差し支えないが、左と右を常に同じ片足に着用したい場合に、上述例のように切り口４を内股側に設けると左右を区別できる。また左右両用としたい場合、切り口４を靴下１の両側に形成し、延長部も両側に設けるようにしても良い。【００１９】  また靴下は元々足の太細に関係なく着用できるようになっているが、病気で極端に足が太くなったり、元々通常人以上に足が太い者にとって普通の靴下では締め付け感に耐えられない場合��あるが、本案では切り口４を足首近傍まで十分に確保してあり、開口部を大きくして履き口３の幅をゆったりとることができるため象の足のような人でも楽に着用できる。【００２０】  而して靴下を長く着用すると、使用につれ履き口３部分に大きな負荷がかかってその箇所の弾力性が失われ、靴下主体１の上部がしまりのない状態となってずれ落ち、履き心地だけでなく体裁も悪くなるという不具合がある。このことは同一人であっても足にむくみが生じた場合などにも当てはまり、ぱんぱんに張った足に同じ靴下を繰り返し履き続けると必然たるみが生じてくる。【００２１】  就中本案靴下のように切り口４の箇所から頻繁に開閉を繰り返すとその部分の弾性に影響を与えることが考えられる。すなわち図３はこのような靴下の持つ不利を解消すべく、主体１の履き口３から下方（図では足首まで）にかけて左右に縦方向の筋目材８を設けた本考案の他の例を示している。この例の場合も靴下主体１の構成は図１と同様であり、同一符号は同一部分を表している。すなわち筋目材８は切り口４を除く箇所に設けてあり、この筋目材８が高さ保持機能を発揮するので靴下の履き口３部分にたるみが生ぜず靴下がずれ落ちることはない。【００２２】  筋目材８には例えば合成紙、合成繊維或いは合成樹脂フィルム等の合成樹脂系の素材で耐水性・柔軟性があるものを用いる。縦方向に筋目材８を設けたことで履き口３の部分が補強されて高さが保持され引っ張り強さが働いて靴下の型崩れが防止できる。筋目材８は履き心地が悪くならないように主体１中に一体的に組み込むことが好ましく、外部から目立つこともなく、外観上は通常の靴下と何ら異なることがない。【００２３】  筋目材８は図では切り口４の左右二カ所に設けてあるが、取り付け個数はそれ以上でも差し支えはなく、長さ或いは太さも、靴下の種類・素材等に応じて任意に設定でき、また図示のような直線状だけでなく傾斜状等に取り付けるようにしても良い。
【図面の簡単な説明】
【００２４】
【図１】本案靴下を示し、（ａ）は側面図、（ｂ）は平面図である。
【図２】本案靴下を示し、（ａ）は切り口を広げる状態の側面図、（ｂ）は履き口を拡開した状態の平面図である。
【図３】本案靴下に筋目材を施したもので、（ａ）は側面図、（ｂ）は平面図である。
【符号の説明】
【００２５】１  靴下主体
２  パイル状布地
３  履き口
４  切り口
５  延長部
６  外面部
７  フック片
８  筋目材
【図１】
0003128484.tif 000003
【図２】
0003128484.tif 000004
【図３】
0003128484.tif 000005